(57)【要約】      （修正有）【課題】被締め付け部材へ取り付けられたボルト、ナットのいたずらによる取り外しを防止する。【解決手段】ナットやボルトの外側にかぶせる保護具において、保護キャップ１の円筒頭部より圧力を与えることにより円筒端末のフック部を屈曲してなることを特徴とするボルト・ナットの保護具。【選択図】図１
0003118562.tif 000002
【実用新案登録請求の範囲】
【請求項１】
ナットやボルトの外側にかぶせる保護具において、保護キャップの円筒頭部より圧力を与えることにより円筒端末のフック部を屈曲してなることを特徴とするボルト・ナットの保護具。
【請求項２】
保護キャップにおいて、フック部が先端から内側に屈曲するようにフック先端部を小さくテーパー状にすることを特徴とする請求項１記載のボルト・ナットの保護具。
【請求項３】
保護キャップにおいて、フック部の屈曲部に薄厚部を設けることを特徴とする請求項１又は２記載のボルト・ナットの保護具。
【請求項４】
フック部の屈曲部の先端が当たった時に曲がりやすくすべく表面の一部に傾斜溝を形成してなる第１座金を設けてなることを特徴とする請求項１、２、又は３記載のボルト・ナットの保護具。
【請求項５】
フック部を固定する凹部を有する第２座金を設け、その凹部はフック部の厚みより、大きくすることで保護キャップを凹部で保持し、保護キャップを回転させて取り外すような行為をした場合、保護キャップが回転することを特徴とする請求項１、２、３、又は４記載のボルト・ナットの保護具。
【考案の詳細な説明】
【技術分野】
【０００１】  本発明は、被締結物を締結したボルトやナットを包み込むことにより、人や機械工具がボルトやナットに直接接触することを防止するものであり、人がボルトやナットに接触して怪我をすることを防ぐと共に、ボルトやナットが故意に取り外されることを防止する技術に関するものである。
【背景技術】
【０００２】  回転を伝達する頭部とねじ山を形成した脚部とからなるねじにおいて、頭部の中心から放射方向に三等分された位置の頭部外周側に座面から頭部上面にかけて切欠部を形成し、この切欠部の脚部のねじ込み方向回転側に座面に対して直立する係合壁を形成し、ねじ戻し方向回転側に頭部の座面から頭部の上面に向かって座面から遠ざかる上り勾配に傾斜した案内面を形成したことを特徴とするいじり止めねじ。（特許文献１参照）【０００３】  半球面ボルトの中央にナットを設けそのナットに別のねじ切りボルトをねじ込み難易度に応じ半球面ボルトの表面に数カ所の孔を開け樹脂や金属を埋め込む。（特許文献２参照）【０００４】  螺合によって締結を行う締結部に装着され、締結部の取外しを防ぐ締結部取外し防止具であって、締結部の軸線方向の一方側から少なくともトルク伝達部を外囲し、内周側に溝を有するカバー部材と、外周側部分がカバー部材の内周側の溝に嵌合するように付勢され、カバー部材の溝が形成されていない内周面に沿って摺動可能なように、外周側からの押圧で径が縮小可能なばね部材と、ばね部材を、締結部の軸線方向に関して拘束する拘束部材とを含むことを特徴とする締結部取外し防止具。（特許文献３参照）
【特許文献１】特開  平１０−２２０４５３
【特許文献２】特開２００４−２５１４３３
【特許文献３】特開２００３−１１３８２９
【考案の開示】
【考案が解決しようとする課題】
【０００５】  前者は従来の技術としてはねじの頭を半球形にし、角を持たないねじ頭は人に優しいねじとして需要がある。このねじをいたずらで緩められる事故が発生し、「いじり防止ねじ」として、一般のねじ回し工具では締付け出来ないし緩めることが出来ない「小ねじ」が多数発明された。これらはＭ１０以下のサイズの小ねじに限られている。【０００６】  中者の従来の技術としては自動車のナンバープレートの盗難が多発し、取付けた物を故意やいたずらから守り、その機能や盗難を防ぐものが発明された。これは「一度取付けると取外しに時間がかかるボルト」などのように、ボルト頭部にナットを設け別のボルトをねじ込み取外し作業を複雑にしたものであった。【０００７】  後者の従来の技術としては送電線鉄塔のボルト緩め事故発生以来、使用されているボルトやナットをキャップで覆う方向での「盗難防止キャップ」が多数発明されている。これらは汎用工具では廻せない・壊せないキャップと、キャップとボルトやナットとの結合に工夫があるが、「盗難防止キャップ」自身がボルトやナットよりも高価であり、また施工が簡易でない。【０００８】本発明は、締結したボルトやナットの六角部が外部に突出することがなく、ボルトの頭部側でも先端側でも取り外し防止を図ることができるボルト・ナットの保護具を提供することである。締結体を腐食環境から保護し、締結寿命長持ちさせ人の安全を守るために、安くて簡便なボルト・ナットの保護具を提供する。盗難防止用だけの用途ではなく、装飾用、安全用、防食用など広い用途に対応できるボルト・ナットの保護具を提供する。ナット用もダブルナット締結とシングルナット締めなど状況に応じ、ボルト用も頭部形状が特殊でも対応したボルト・ナットの保護具を容易に提供できる。
【課題を解決するための手段】
【０００９】  ナットやボルトの外側にかぶせる保護具において、保護キャップの円筒頭部より圧力を与えることにより円筒端末のフック部を屈曲してなることを特徴とする。【００１０】  保護キャップにおいて、フック部が先端から内側に屈曲するようにフック先端部を小さくテーパー状にすることを特徴とする。【００１１】  保護キャップにおいて、フック部の屈曲部に薄厚部を設けることを特徴とする。【００１２】  フック部の屈曲部の先端が当たった時に曲がりやすくすべく表面の一部に傾斜溝を形成してなる第１座金を設けてなることを特徴とする。【００１３】  フック部を固定する凹部を有する第２座金を設け、その凹部はフック部の厚みより、大きくすることで保護キャップを凹部で保持し、保護キャップを回転させて取り外すような行為をした場合、保護キャップが回転することを特徴とするボルト・ナットの保護具。
【考案の効果】
【００１４】  本発明は、以下の効果を有するものである。
１）、ナットやボルトの外側にかぶせる保護具において、円筒端末のフック部に保護キャップの円筒頭部より圧力を与えることにより円筒端末にあるフック部を屈曲させることによって、フック部を座金の凹部に固定することができる。
２）、保護キャップにおいて、フック部が先端から内側に屈曲するようにフック先端部を小さくテーパー状にすることにより、屈曲させることが容易となる。
３）、保護キャップのフック部の屈曲部に薄厚部を設けることにより、屈曲することが容易となる。
４）、フック部の屈曲部の先端が座金の表面に当たった時に曲がりやすくすべく座金表面の一部に傾斜溝を形成することにより、フック部の先端部がその傾斜に沿って曲がることにより屈曲することが容易となる。
５）、フック部を固定する凹部を有する第２座金を設け、その凹部はフック部の厚みより、大きくすることで保護キャップを凹部で保持し、保護キャップを回転させて取り外すような行為をした場合、溝部にフック部と隙間が出来ており、保護キャップが回転する、したがってムリにパイプレンチなど汎用工具を使用し取り外しをおこなっても保護キャップは取り外しができない。
【考案を実施するための最良の形態】
【００１５】  以下、本発明の実施の形態を図面に基づいて詳細に説明する。
１は、円筒状の保護キャップで頭部に穴１ａを設けてある。
２は、保護キャップ１の円筒端末のテーパー状になったフック部で、フック屈曲部２ａ及びフック先端部２ｂを成形してある、また、必要に応じて屈曲し易くするための薄厚部２ｃを設ける。
３は、第１座金でありその表面にはフック先端部２ｂが当たった時に曲がり易くすべく傾斜溝３ａを形成されている。
４は、第２座金であり、その凹部４ａにフック部２が入り保護キャップ１が第１を固定することができる、その凹部４ａの幅Ｔは、フック部２の厚みｔより大きくなっている。
【実施例】
【００１６】  以下、添付図面に従って使用例を説明する。１は保護キャップである、被締結物をボルト・ナットで締結する場合、被締結物のボルトを通す穴の位置に第１座金３、第２座金４をボルトを通す穴の上に置きボルトＡを上部より通し、被締結物Ｃの下部よりナットＢを締め付けて固定する、その後保護キャップ１をボルトＡ及び第２座金４に被せ上部よりハンマー等で圧力を与えることにより、フック先端部２ａが第１座金３の傾斜溝３ａに押付けられフック先端部は第２座金の凹部４ａに屈曲し保護キャップは第２座金４の凹部４ａに固定される。
【図面の簡単な説明】
【００１７】
【図１】本発明の保護キャップの縦断側面図
【図２】本発明の保護キャップの底面図
【図３】本発明の第１座金縦断側面図
【図４】本発明の第２座金縦断側面図
【図５】本発明の保護キャップのフック部の薄厚部縦断側面図
【図６】本発明の第１座金と第２座金を組み合わせた縦断側面図
【図７】本発明の実施形態を示すボルト・ナットの保護金具の分解斜視図
【図８】本発明の実施形態を示すボルト・ナットの保護金具の組立斜視図
【図９】本発明の実施形態を示すボルト・ナットの保護金具の縦断側面組立図
【図１０】本発明の第１座金と保護キャップのフック先端の縦断側面図
【図１１】本発明の実施形態を示すボルト・ナットの保護金具が固定されたの縦断側面組立図
【符号の説明】
【００１８】１−−−保護キャップ
１ａ−−穴
２−−−フック部
２ａ−−フック屈曲部
２ｂ−−フック先端部
２ｃ−−フック薄厚部
３−−−第１座金
３ａ−−傾斜溝
４−−−第２座金
４ａ−−凹部
Ａ−−−ボルト
Ｂ−−−ナット
Ｃ−−−被締結物
ｔ−−−厚み
Ｔ−−−幅
【図１】
0003118562.tif 000003
【図２】
0003118562.tif 000004
【図３】
0003118562.tif 000005
【図４】
0003118562.tif 000006
【図５】
0003118562.tif 000007
【図６】
0003118562.tif 000008
【図７】
0003118562.tif 000009
【図８】
0003118562.tif 000010
【図９】
0003118562.tif 000011
【図１０】
0003118562.tif 000012
【図１１】
0003118562.tif 000013